【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
（ａ）水漏れが発生しているかどうかを、２つの開放端子と２つの接続端子とを備えた２つの分離した導線を有している、センサーによって検出し、
検出信号を２つの接続線を経由して制御部によってセンサーに供給するステップと、
（ｂ）水漏れが２つの分離した導線間で検出された場合、第１のアナログ信号を、２つの接続端子のうちの負端子で発生させるステップと、
（ｃ）制御部を使用することにより第１のアナログ信号を第１のデジタル信号に変換するステップと、
（ｄ）第１のデジタル信号で第１の警報器または第１の警報灯とを作動させるステップとを含んでいる、水漏れ検出方法。
【請求項２】
ステップ（ｃ）は、（１）第１のアナログ信号を第１の８ビットデジタル信号に変換するステップと、（２）第１の８ビットのデジタル信号を、論理レベル“１”である第１のデジタル信号に変換するステップとをさらに含む、請求項１に記載の方法。
【請求項３】
（ａ１）２つの分離した導線間で水漏れが検出されない場合、負端子にセンサーによって第２のアナログ信号を発生させるステップと、
（ｂ１）第２のアナログ信号を制御部により第２のデジタル信号に変換するステップと、
（ｃ１）第２のデジタル信号で発光装置を作動させるステップとをさらに含む、請求項１に記載の方法。
【請求項４】
水漏れが発生しているかどうかをセンサーによって検出するとともに、上記センサーは２つの開放端子と２つの接続端子とを備える２つの分離した導線を有しており、検出信号は２つの接続線を経由して制御部によってセンサーに供給されるステップ１と、
水漏れが２つの分離した導線間で検出された場合、２つの接続端子のうちの負端子に第１のアナログ信号を発生させるステップ２と、
制御部を使用することにより第１のアナログ信号を第１のデジタル信号に変換するステップ３と、
第１のデジタル信号で第１の警報器または第１の警報灯を作動させるステップ４とを行うためにコンピューターによって実行されるプログラムが記録されたコンピューターで読み取り可能な媒体。
【請求項５】
（ａ）センサーによって水漏れが発生しているかどうかを検出するとともに、上記センサーは２つの分離した導線と端子抵抗とを備え、２つの分離した導線の２つの端子は端子抵抗の２つの端子に接続されており、制御部によって２つの分離した導線の他の２つの端子を経由して検出信号をセンサーに供給するステップと、
（ｂ）２つの分離した導線間で水漏れが検出された場合、２つの分離した導線の他の２つの端子のうちの負端子に第１のアナログ信号を発生させるステップと、
（ｃ）制御部により第１アナログ信号を第１のデジタル信号に変換するステップと、
（ｄ）第１の警報器または第１の警報灯を作動させるステップとを含んでいる、水漏れ検出方法。
【請求項６】
ステップ（ｃ）は、（１）第１のアナログ信号を、第１の８ビットデジタル信号に変換するステップと、（２）第１の８ビットのデジタル信号を、論理レベル“１”である第１のデジタル信号に変換するステップとをさらに含む請求項５に記載の方法。
【請求項７】
（ａ２）２つの分離した導線が短絡された場合、センサーによって負端子に第３のアナログ信号を発生させるステップと、
（ｂ２）制御部によって第３のアナログ信号を第３のデジタル信号に変換するステップと、
（ｃ２）第３のデジタル信号で第２の警報器または第２の警報灯を作動させるステップとをさらに含む、請求項５に記載の方法。
【請求項８】
（ａ３）センサーが開回路となっている場合、センサーによって負端子に第４のアナログ信号を発生させるステップと、
（ｂ３）制御部によって第４のアナログ信号を第４のデジタル信号に変換するステップと、
（ｃ３）第４のデジタル信号で第３の警報器または第３の警報灯を作動させるステップとをさらに含む、請求項５に記載の方法。
【請求項９】
センサーによって水漏れが発生しているかどうかを検出するとともに、上記センサーは２つの分離した導線と端子抵抗とを備え、２つの分離した導線の２つの端子は端子抵抗の２つの端子に接続されており、制御部によって２つの分離した導線の他の２つの端子を経由して検出信号をセンサーに供給するステップ１と、
２つの分離した導線間で水漏れが検出された場合、２つの分離した導線の他の２つの端子のうちの負端子に第１のアナログ信号を発生させるステップ２と、
制御部によって第１のアナログ信号を第１のデジタル信号に変換するステップ３と、
第１の警報器または第１の警報灯を作動させるステップ４とを行うためにコンピューターによって実行されるプログラムが記録されたコンピューターで読み取り可能な媒体。
【請求項１０】
第１の警報器または第１の警報灯と、センサーと、信号発信器と、制御部とを備え、
上記センサーは、２つの開放端子と２つの接続端子を有する２つの分離した導線を備えており、水漏れが２つの分離した導線間で検出された場合、２つの接続端子のうちの負端子で第１のアナログ信号が発生されるものであり、
上記信号発信器は、検出信号をセンサーに供給するために、センサーの２つの接続端子に接続され、
上記制御部は、第１のアナログ信号を第１のデジタル信号に変換するために、２つの接続端子のうちの負端子と、第１の警報器または第１の警報灯とに接続されており、第１のデジタル信号は第１の警報器または第１の警報灯を作動させるために使用されている、水漏れ検出器。
【請求項１１】
さらに発光装置を備え、２つの分離した導線間で水漏れが検出されない場合、２つの接続端子のうちの負端子で第２のアナログ信号が発生されるとともに、第２のアナログ信号は制御部によって第２のデジタル信号に変換され、上記発光装置は第２のデジタル信号によって作動されている、請求項１０に記載の水漏れ検出器。
【請求項１２】
さらに第２の警報器または第２の警報灯を備え、２つの分離した導線が短絡された場合、２つの接続端子のうちの負端子で第３のアナログ信号が発生されるとともに、第３のアナログ信号は制御部によって第３のデジタル信号に変換され、第２の警報器または第２の警報灯は第３のデジタル信号によって作動されている、請求項１０に記載の水漏れ検出器。
【請求項１３】
制御部は、第１、第２または第３のアナログ信号を８ビットのデジタル信号に変換するアナログ／デジタル変換器と、８ビットのデジタル信号を第１、第２または第３のデジタル信号に変換する論理回路とを備える、請求項１０〜１２のいずれか１項に記載の水漏れ検出器。
【請求項１４】
第１の警報器または第１の警報灯と、センサーと信号発信器と制御部とを備え、
上記センサーは、２つの分離した導線と１つの端子抵抗とを備え、上記２つの分離した導線の２つの端子は端子抵抗の２つの端子に接続されており、
２つの分離した導線間で水漏れが検出された場合、２つの分離した導線の他の２つの端子のうちの負端子で第１のアナログ信号が発生されるとともに、
上記信号発信器は、センサーに検出信号を供給するために２つの分離した導線の他の２つの端子に接続されており、
上記制御部は、第１のアナログ信号を第１のデジタル信号に変換するために、２つの分離した導線の他の２つの端子のうちの負端子と、第１の警報器または第１の警報灯とに接続され、第１の警報器または第１の警報灯は第１のデジタル信号によって作動されている、水漏れ検出器。